(57)【要約】【課題】  農業用ビニールハウス内等における連続した高所作業を僅かな人力により、搭乗したまま容易に安全で効率よく移動し作業が出来る農業用人力移動式作業台車を提供すること。【解決手段】高所作業において、搭乗したまま作業可能な車輪７を有したフレーム１に、人力による移動用の足踏ペダル３ａとこれに連動する脱着自在な手動レバー９により、ペダルアーム３ｂを駆動し、これに取付けられたチェーン４を介して駆動輪７ａの駆動軸６ｃ上に設けられた駆動用フリーホイール６を駆動すると共に、後退防止用フリーホイール６ａを併設し、更にフレーム１に脱着自在かつ上下自在に取付けられた安全柵８と直進性向上の為、トーインを付けた前部車輪７ｂを有した作業をしながら移動が出来る事を特徴とした農業用人力移動式作業台車。【選択図】  図２
2005341946.tif 000002
【特許請求の範囲】
【請求項１】
ビニールハウス等内の高所作業において、車輪７を有し適当な高さと作業面積を持ったフレーム１に人力による駆動機搆３を設け移動可能とし、更に安全柵８を有する事を特徴とする農業用人力移動式作業台車。
【請求項２】
移動用の足踏ペダル３ａとこれに連動する脱着自在な手動レバー９は、ペダルアーム３ｂを駆動しこれに取付けられたチェーン４を介して駆動輪７ａの駆動軸６ｃ上に設けられた駆動用フリーホイール６を駆動すると共に、後退防止用フリーホイール６ａを併設し、人力による足踏ペダル３ａの押下または、手動レバー９の操作により移動出来る事を特徴とする農業用人力移動式作業台車。
【請求項３】
作業台フレーム１ａに脱着自在かつ上下自在に取付けられた安全柵８と前部車輪７ｂのトーインを有する事を特徴とする農業用人力移動式作業台車。
【発明の詳細な説明】
【発明の詳細な説明】
【技術分野】
【０００１】本発明は、農業用ビニールハウス等内で栽培される丈の高くなる植物に対する高所作業用の農業用人力移動式作業台車に関するものであり、更に詳しくは、畝に連続して栽培された植物の弦や茎等の固定作業、芽欠き作業や摘芯（芯止め）作業時等の高所作業を中断する事無く、作業者が作業台車に搭乗したまま畝間の移動を可能とする農業用人力移動式作業台車に関するものである。
【背景技術】
【０００２】一例として、トマト栽培について限定して述べると、一般的に１本のトマトからの果実の収穫を７から８段で摘芯し糖度、果実の大きさや品質等を管理している。【０００３】この時のトマトの丈は約２メートル位となる為、高位置での摘芯作業、芽欠き作業、弦や茎等の固定作業には、高下駄を履き更に箱の上に乗って作業をしている。【０００４】一般的な畝の長さは４０から１００メートル位の長さが有り、ハウス１棟当り４本程設けられ、この畝にトマトは一定間隔で植えられている為、上述の作業も畝に沿って連続して移動しながら行わなければならず、外気温に比べかなり高温のビニールハウス内においての作業は、高下駄を履きながら箱の移動と箱への登り降りに多大な労力と時間を費やしている。
【発明が解決しようとする課題】
【０００５】従来の技術で述べたように、外気温度より高温のビニールハウス内での作業においては、高下駄を履いての歩行だけでも作業者には大きな負担であり、更に箱または台への登り降りと箱や台の移動と多大な労力と時間を要し作業効率も低い。
【０００６】本発明は、高所作業に適した高さを持った作業台車上で、作業をしながら僅かな人力で連続的に畝間の通路に沿って移動が出来ると共に大幅な労力と作業効率の改善を図る事を目的とした農業用人力移動式作業台車を提供する事を課題とする。
【課題を解決するための手段】
【０００７】前述の課題を解決するために、本発明が採用した方法は、前述の特許請求の範囲の欄に記載した通りである。
【発明を実施するための最良の形態】
【０００８】本発明の実施の形態を添付図面に従って説明する。本発明は、フレーム１と車輪７、駆動機構３及び安全柵８により構成されており、駆動部には一方向の回転のみトルクを伝達するフリーホイール６及び６ａを使用する。【０００９】フレーム１は、高所作業時に搭乗したまま作業可能な作業台フレーム１ａ、１組の車輪固定フレーム１ｂと駆動機構３とで構成されている。【００１０】１組の車輪固定フレーム１ｂには、前輪固定板１ｃ、駆動輪固定板１ｄ及びペダルアーム保持金具１ｅが固定されている。【００１１】また、この１組の車輪固定フレーム１ｂは、作業台フレーム１ａの作業高さを決定する為、車輪７の高さを含め最適高さを確保し作業台フレーム１ａに固定されている。【００１２】作業台フレーム１ａは、安全柵固定用スリーブ１ｆが固定されており、上面にはペダルアーム３ｂ貫通用スリット付き天板２を配してある。【００１３】駆動機構３は、足踏ペダル３ａ、ペダルアーム３ｂ、手動レバー９、チェーン４、駆動用フリーホイール６、後退防止用フリーホイール６ａ及び駆動輪７ａで構成されるが手動レバー９は必要に応じて取付ける。【００１４】ペダルアーム３ｂの天板２のスリットを貫通した上部には足踏ペダル３ａを配しまた、下部にはペダルアーム回転軸３ｄが固定されており、この両端はペダルアーム保持金具１ｅと回転自在に連結されている。【００１５】ペダルアーム３ｂの中央付近に手動レバー取付穴３ｃを設け、手動レバー９を脱着自在にすると共に左右どちら側にも取付られ、更にペダルアーム３ｂの中央付近に接続されたチェーン４は、駆動軸６ｃに固定された駆動用フリーホイール６をペダル３ａまたは手動レバー９の移動量に比例し回転させる。【００１６】駆動軸６ｃは、駆動用フリーホイール６と共に後退防止用フリーホイール６ａが固定され、ベアリングを介して駆動輪固定板１ｄに固定されると共に両端には駆動輪７ａが固定されており、チェーン４にて駆動用フリーホイール６へ与えられた回転は、駆動輪７ａを回転し移動を実現する。【００１７】スプリング５はチェーン４の張りを保つと共に足踏ペダル３ａ又は、手動レバー９を元の位置へ戻す働きをする。【００１８】駆動軸６ｃ上に配された後退防止用フリーホイール６ａは、駆動輪固定板１ｄに固定されたフリーホイール固定板６ｂにより動きが規制され、これにより駆動軸６ｃの正転は可能であるが逆転は阻止される為、登り坂等の使用も可能である。【００１９】前輪固定板１ｃに取付けられた前部車輪７ｂは、トーインを設け直進性の向上を図っている。【００２０】安全柵８は、手摺８ａと手摺柱８ｂとからなり、手摺柱８ｂには脱着自在で且つ、上下及び回転自在に固定出来る小物置き台１０を有し、手摺８ａの両側には手動レバーカイド８ｃを設けてある。【００２１】手動レバー９は手摺８ａと手動レバーガイド８ｃ間に挿入され、左右の動きを規制すると共に前後移動を安定化する。【００２２】手摺柱８ｂは安全柵固定用スリーブ１ｆに挿入され固定ボルト８ｄにより固定されるが、上下自在となる為、輸送時の荷造り高さを低く抑えることが可能である。
【実施例】
【００２３】本装置の駆動輪を浮かせ又は、前進方向に押しながら畝端の作業開始場所へ移動する。【００２４】本装置の進行方向と作業方向を一致させ、作業者は手摺８ａに捕まり天板２へ搭乗し、必要に応じて足踏ペダル３ａ又は、手動レバー９の操作により作業をしながら移動する。
【発明の効果】
【００２５】従来の技術で述べた如く、高温のビニールハウス内の畝に連続栽培された植物の高い位置での摘芯作業、芽欠き作業、茎等の固定作業等においては、高下駄を履き更に箱の上に乗って作業をし、又移動しての作業を繰り返す方法がとられていた。
【００２６】高温下でのこれらの作業は、非能率的であり多くの時間と多大な重労働を強いられていた。
【００２７】本発明の実施効果は、作業台車に搭乗したまま作業と移動が可能である為、畝の端から端迄、一切降りること無く作業が行えるので、大幅な時間短縮と、作業効率の向上に伴う労力の大幅な減少となり、本発明が解決しようとした課題は全て解決できた。
【図面の簡単な説明】
【図１】  本発明による農業用人力移動式作業台車の斜視図である。
【図２】  本発明による農業用人力移動式作業台車の天板を除いた斜視図である。
【図３】  本発明による農業用人力移動式作業台車の駆動部分を示す説明図である。
【図４】  本発明による農業用人力移動式作業台車の足踏ペダル押下時の駆動部分を示す説明図である。
【図５】  本発明による農業用人力移動式作業台車の安全柵を示す斜視図である。
【図６】  本発明による農業用人力移動式作業台車の手動レバー脱着及び安全柵固定の説明図である。
【図７】  本発明による農業用人力移動式作業台車の輸送又は、収納時の説明図である。
【符号の説明】
１．      フレーム
１ａ．    作業台フレーム
１ｂ．    車輪固定フレーム
１ｃ．    前輪固定板
１ｄ．    駆動輪固定板
１ｅ．    ペダルアーム保持金具
１ｆ．    安全柵固定用スリーブ
１ｇ．    手摺柱固定用穴
２．      天板
３．      駆動機構
３ａ．    足踏ベダル
３ｂ．    ペダルアーム
３ｃ．    手動レバー取付穴
３ｄ．    ペダルアーム回転軸
４．      チエ−ン
５．      スプリング
６．      駆動用フリーホイール
６ａ．    後退防止用フリーホイール
６ｂ．    フリーホイール固定板
６ｃ．    駆動軸
７．      車輪
７ａ．    駆動輪
７ｂ．    前部車輪
８．      安全柵
８ａ．    手摺
８ｂ．    手摺柱
８ｃ．    手動レバーガイド
８ｄ．    固定ボルト
９．      手動レバー
１０．    小物置き台
【図１】
2005341946.tif 000003
【図２】
2005341946.tif 000004
【図３】
2005341946.tif 000005
【図４】
2005341946.tif 000006
【図５】
2005341946.tif 000007
【図６】
2005341946.tif 000008
【図７】
2005341946.tif 000009